(57)【特許請求の範囲】
【請求項１】
内部を中空とした釣り竿において、密封材などにより該中空内部を気密状態に保持し、釣り竿の中空内部と外部間に圧力調整弁を介設して釣り竿内部の圧力を調整できるようにしたことを特徴とする釣り竿。
【請求項２】
前記釣り竿は数本の継ぎ竿で構成し、各継ぎ竿の内部圧力をそれぞれ調整可能としたことを特徴とする請求項１記載の釣り竿。
【発明の詳細な説明】
【特許請求の範囲】
【請求項１】
内部を中空の気密状態として加圧した竿を複数本継ぐ釣り竿であって、各竿に圧力調整弁を有する釣り竿において、前記圧力調整弁は各竿の中空内部と外側曲面間に竿の外側から圧力調整可能に設けたことを特徴とする釣り竿。
【発明の詳細な説明】
【技術分野】
【０００１】  本発明は、中空内部が加圧された竿を複数本継いで構成される釣り竿に関する。
【背景技術】
【０００２】  釣り竿は複数本の竿を継いだものが多く散見される。釣果を良好なものにするには剛性や強度の異なる釣り竿を各種準備しておき、魚の種類に応じて最適な感度の釣り竿を選んで携行するのが一般的で、大きい魚や遠投用にはより強い反発力の釣り竿が多用される。【０００３】  従来の釣り竿は、釣り竿の材質、外径や肉厚や外面に巻く仕上げ材など各種の条件を変たり、あるいは部分的にはグリップ部に密封空間を設け流体を充填するなどしてその感度を変えていた。
また、中空内部が気密状態にされた竿の軸方向にガスを注入する手段を設けて竿の剛性を調整可能にした釣り竿が見られる。【０００４】
【特許文献１】  実開平９−１４９７４７号公報
【特許文献２】  特開平１０−２０１４０２号公報
【特許文献３】  国際公開第２００４／０６４５１３号公報
【発明の開示】
【発明が解決しようとする課題】
【０００５】  釣ろうとする魚の種類に応じて剛性が異なる各種の釣り竿を準備するには、釣り竿の製造が多品種少量生産となっていきおい製造コストが高くなるとともに、釣り人も出費が大きく、また多種類の釣り竿を収納したり運搬したりするのに多くの手間と場所が要求される問題点がある。【０００６】  上述の問題点を解決する一手段として、竿の中空内部を気密にしてガスを注入し、そのガス圧の調整によって竿の剛性を変えるもの（例えば、特許文献３）があるが、ガス圧を調整するための調整弁が竿の軸方向に設けられており、このため各竿を継いで釣り竿を構成する前にはガス圧を調整できるが、一本の釣り竿を構成した後には竿のガス圧を調整することができない欠点がある。【０００７】  本発明は、このような従来の問題点を解消するもので、釣り竿内に圧縮空気を注入し、その空気圧を調整することによって剛性や反発力を変えることのできる釣り竿の提供を目的とする。【０００８】  さらに本発明の他の目的は、複数本の竿を継いで釣り竿を構成した後に釣り竿内に注入する圧縮空気の圧力を外側から任意に調節できる釣り竿の提供を目的とする。【０００９】  さらに本発明の他の目的は、水中に沈まない釣り竿を提供することにある。
【課題を解決するための手段】
【００１０】  本発明は上記目的を達成するために、釣り竿を構成する竿の中空内部を気密構造として該中空内部と外側曲面間に圧力調整弁を設けている。この圧力調整弁を介して圧縮空気を竿内に注入するが、圧力調整弁の一端が竿の外側曲面に面しており、これにより複数本の竿を継いで釣り竿を組み立てた後に釣り竿の外側から内部の圧力を任意に調整できるようになっている。
【発明の効果】
【００１１】  上述したように本発明の釣り竿は、釣り竿内部に圧縮空気を封入してその圧力を調整可能にしたので、空気圧を変えることで異なった剛性や反発力の釣り竿を同じ釣り竿で得ることができ、多くの異なる仕様の釣り竿を製造したり準備したりする必要がなく、釣り竿の製造コストを大幅に下げることができる。【００１２】  さらには、圧力調整弁はその一端が竿の外側曲面に面して設けられており、竿を複数本継いで釣り竿を構成した後においても竿の外から竿内の空気圧を調整することができるので、魚の食いつき状態に即応して最適な釣り竿をその場で容易に得ることができる。そして釣り竿内の圧縮空気は釣り竿が水中に沈むのを防ぐ。
【発明を実施するための最良の形態】
【００１３】  釣り竿の中空内部を気密構造に構成し、竿の該中空内部と外側曲面間に圧力調整弁を設ける。この調整弁を介して釣り竿内に充填する圧縮空気の圧力を竿の外側面から調整し、釣り竿の剛性や反発力を任意に調整する。
【実施例】
【００１４】  図１は釣り竿の一部を切り欠いた正面図で、外面には適宜の間隔で釣り糸ガイド２が設けられている。釣り竿１は中空に形成され、該中空部３の上端部は接着剤（図示略）などによって密封され、同下端部には密封材４と圧力調整弁５が設けられてそれぞれ気密を保持している。さらに釣り竿１下部には圧力調整弁５を外部の衝撃などから保護するためエンドキャップ６が設けられている。【００１５】  図２は釣り竿１の気密手段の一例を示す要部断面図で、密封材４の外周面は接着剤などで釣り竿１の内面に気密保持して固定されている。なおこの固定は密封材４の外面に雄螺子を、釣り竿１の内面に雌螺子をそれぞれ設け、シールテープなどの介在による螺合でもできる。【００１６】  密封材４の中央部には雌螺子７が切られており、これにシールテープなどを介在させて圧力調整弁５外面に切られた雄螺子８が螺合され中空部３は気密を保持されている。雄螺子８の螺合は圧力調整弁５の端部に切り欠いた凹溝９にドライバー（図示略）先端を嵌合し回転させることで行う。なお密封材４と圧力調整弁５の固定は、前述した螺子の螺合によらずに接着剤などでも行える。【００１７】  圧力調整弁５の一例（自動車タイヤの空気入れに用いられている構造）を詳述すると、圧力調整弁５の内径面に半分ほどに雌螺子１０が切られており、この雌螺子１０に調整駒１１の雄螺子１２が螺合される。テーパ状のシールリング１３が内径部に当接すると該部は密封され、釣り竿１の中空部３は外部から遮断され気密状態になる。摺動棒１４と一体の当接片１５はばね（図示略）等により常に右方への力が加えられており、摺動棒１４が左方に押されると当接片１５の右側面はその密封状態を解放し、内径部１６は外部と導通状態になる。このとき摺動棒１４側の方の空気圧が低ければ中空部３の圧力は下がる。【００１８】  図３は本発明の実施例を示す釣り竿１の要部断面図で、これは上述の圧力調整弁５を釣り竿１端部に固定した密封材４１に取り付けずに、圧力調整弁５は密封材４１からやや離れた位置で釣り竿１の外側曲面側から軸方向に直角に取り付けられている。即ち釣り竿１にその径方向に雌螺子１８を設け、これに圧力調整弁５の雄螺子８をシールテープを介在させて螺合し、該部を密封したものである。この密封は前述した螺子の螺合やシールテープによらず、接着剤を用いて行っても良い。このとき圧力調整弁５は図示のように釣り竿１の外表面から外方に突出しない。また釣り竿１の中空部３と外部との気道を確保するために圧力調整弁５に横孔１７を穿設している。【００１９】  釣り竿１の内部圧力を上げるには、例えば自動車の空気入れと同様にすればよい。圧力調整弁５の摺動棒１４を下方に押すと当接片１５が密封を解放して気道が形成され、この状態で圧力調整弁５の上端に空気圧を加えれば釣り竿１内部の空気圧は上昇する。圧力調整弁５に空気圧を加えるのを止めると同時に摺動棒１４への押圧を解放すれば当接片１５は前記の気道を塞いで釣り竿１内の圧力は高い状態に保持される。逆に釣り竿１内の圧力を下げるには摺動棒１４を下方に押圧して当接片１５の密封を解いて前記気道を開ければよい。【００２０】  図４は従来手段による釣り竿１の断面図で、釣り竿１を継���竿２１、同２２で構成したものを示し、継ぎ竿２１の下部内面には密封材４２が、同上部内面には密封材４がそれぞれ接着剤などによって固定され、また密封材４には圧力調整弁５が上述したように固定され中空部３は気密状態に維持されている。中空部３の圧力は継ぎ竿２１、２２を組み立てる前に上述した方法により圧力調整弁５によって行う。【００２１】  継ぎ竿２１の下部外面はわずかにテーパ状に形成され、該部に前記同様にテーパ状に形成した別の継ぎ竿２２の上部が嵌合定着され、このように順次テーパ状に形成された継ぎ竿２４が継ぎ竿２１に嵌合定着されている。【００２２】  図５は他の従来例による釣り竿１の構成を示し、同じ構成とした継ぎ竿２１、２３は上下両方をテーパ状とした継ぎ材２０によって一体化され、これらを複数本継ぐことによって釣り竿１を構成する。各継ぎ竿２１、２２、２３はそれぞれに設けられた圧力調整弁５によって、複数本の継ぎ竿を継いで釣り竿１とする前に独立して中空部３内の圧力を調整できる。【００２３】  本発明の釣り竿は上述したように釣り竿を構成する各継ぎ竿の内部に圧縮空気を封入しその圧力をそれぞれに調整可能としたので、構造が同じ釣り竿でもその内圧を任意に変化させることにより釣り竿の剛性や反発力を微妙に調整することができる。
特にそれぞれの継ぎ竿の内圧を、釣り竿として組み立てた後に独立して調整できるので川や磯あるいは海上においても釣り竿を分解せずに簡単且つ短時間で好みの剛性にし得て大いなる釣果を期待できる。
【図面の簡単な説明】
【００２４】
【図１】  釣り竿の一部を切り欠いた正面図である。
【図２】  図１の要部を示す釣り竿の断面図である。
【図３】  本発明に係る釣り竿の要部を示す断面図である。
【図４】  複数本で構成された従来の釣り竿の断面図である。
【図５】  複数本で構成された従来の他の釣り竿の断面図である
【符号の説明】
【００２５】１  釣り竿
２  釣り糸ガイド
３  中空部
４  密封材
４１  密封材
５  圧力調整弁
８  雄螺子
１４  摺動棒
１５  当接片
１７  横孔
１８  雌螺子
【図１】
0004378567.tif 000002
【図２】
0004378567.tif 000003
【図３】
0004378567.tif 000004
【図４】
0004378567.tif 000005
【図５】
0004378567.tif 000006